(57)【要約】本発明は、歯列矯正用フレームワーク及びその製造、使用方法を提供する。前記フレームワークは、１つ又は複数の歯を移動させるためのアタッチメントを介して、器具と組み合わせることにより、患者の１つ又は複数の歯の近くの歯列弓内に配置され、器具のアンカー又はバックボーンとして機能するために器具より柔軟性の低い材料で形成される。前記器具は、治療医師による処方に従い、１つ又は複数の歯を当初位置から中間位置又は最終位置に移動させる効果を果たす。前記アタッチメントは、前記器具を形成する材料を介し、前記フレームワークが前記器具に非相反矯正力を及ぼし、さらに前記器具が前記フレームワークをバックボーン又はアンカーにし、歯に非相反矯正力を及ぼすことを可能にする。【選択図】図１
2021512765.tif 000002
【特許請求の範囲】
【請求項１】
１つ又は複数の歯を動かすためのアタッチメントを介して、器具と組み合わせることにより、患者の１つ又は複数の歯の近くの歯列弓内に配置される歯列矯正用フレームワークであって、
前記フレームワークは、前記器具のバックボーン又はアンカーとして機能するために、前記器具より高い機械的強度を有するポリマー材料で形成され、
前記器具は、治療医師による処方に従い、１つ又は複数の歯を当初位置から中間位置又は最終位置に移動させる効果を果たし、
前記アタッチメントは、前記器具を形成するポリマー材料を介し、前記フレームワークが前記器具に非相反矯正力を及ぼし、前記器具が１つ又は複数の歯に非相反矯正力を及ぼすことを可能にする、歯列矯正用フレームワーク。
【請求項２】
前記フレームワークは、患者の歯及び歯肉から様々な距離にある舌側又は唇側の位置に配置される請求項１に記載の歯列矯正用フレームワーク。
【請求項３】
前記器具は、力を介して歯の移動をガイドし、前記フレームワークは、治療医師より処方された望ましい結果に達するように、治療計画に基づいた歯列矯正治療を促進する請求項１に記載の歯列矯正用フレームワーク。
【請求項４】
前記アタッチメントは、機械的連結、接着又は化学結合によって達成される請求項１に記載の歯列矯正用フレームワーク。
【請求項５】
前記アタッチメントは、永久的アタッチメント、半永久的アタッチメント、又は取り外し可能なアタッチメントであり、治療医師より処方された歯の位置調整をもとに、１つ又は複数の歯を動かすのに適応する請求項１に記載の歯列矯正用フレームワーク。
【請求項６】
前記器具を形成するポリマー材料より高い機械的強度の材料から形成される請求項５に記載の歯列矯正用フレームワーク。
【請求項７】
前記器具は、弾性ポリマーで形成される請求項１に記載の歯列矯正用フレームワーク。
【請求項８】
前記フレームワークは、患者の歯肉に配置するための２つの部分を含み、片方は歯列弓の内側の歯肉に配置され、もう片方の部分は歯列弓の外側の歯肉に配置され、前記２つの部分は歯の間又は歯の後ろにロックされるように構成される請求項１に記載の歯列矯正用フレームワーク。
【請求項９】
前記２つの部分は、端部により互いに連結され、ループ及び／又は１つか複数の中間点を形成し、歯の使用を妨げないように、その１つ若しくは複数の中間点は隣接する歯の間に位置する請求項８に記載の歯列矯正用フレームワーク。
【請求項１０】
前記フレームワークは、患者の歯肉に配置される単一部分を含み、その単一部分が歯列弓の内側又は外側に配置され、歯の間又は歯の後ろにロックされる請求項１に記載の歯列矯正用フレームワーク。
【請求項１１】
前記フレームワークは、１つ又は複数の歯を動かすために機能し得る設計を用いたものである請求項１に記載の歯列矯正用フレームワーク。
【請求項１２】
歯列矯正用フレームワークと器具を含む歯列矯正トレー装置であって、
前記歯列矯正用フレームワークは、１つ又は複数の歯を動かすためのアタッチメントを介して、器具と組み合わせることにより、患者の１つ又は複数の歯の近くの歯列弓内に配置され、
前記フレームワークは、前記器具のバックボーン又はアンカーとして機能するために、前記器具より高い機械的強度を有するポリマー材料で形成され、
前記器具は、ポリマー材料で形成され、治療医師による処方に従い、１つ又は複数の歯を当初位置から中間位置又は最終位置に移動させる効果を果たし、
前記アタッチメントは、前記器具を形成するポリマー材料を介し、前記フレームワークが前記器具に非相反矯正力を及ぼし、前記器具が１つ又は複数の歯に非相反矯正力を及ぼすことを可能にする、歯列矯正トレー装置。
【請求項１３】
前記フレームワークは、患者の歯及び歯肉から様々な距離にある舌側又は唇側の位置に配置される請求項１２に記載の歯列矯正トレー装置。
【請求項１４】
前記器具は、力を介して歯の移動をガイドし、前記フレームワークは、１つ又は複数の歯を治療医師より処方された望ましい結果に達するように、治療計画に基づいた歯列矯正治療を促進する請求項１２に記載の歯列矯正トレー装置。
【請求項１５】
前記アタッチメントは、機械的連結、接着又は化学結合によって達成される請求項１２に記載の歯列矯正トレー装置。
【請求項１６】
前記アタッチメントは、永久的アタッチメント、半永久的アタッチメント、又は取り外し可能なアタッチメントであり、治療医師より処方された歯の位置調整をもとに、１つ又は複数の歯を動かすのに適応する請求項１２に記載の歯列矯正トレー装置。
【請求項１７】
前記器具は弾性ポリマーで形成される請求項１２に記載の歯列矯正トレー装置。
【請求項１８】
歯列矯正用フレームワークの製造方法であって、前記方法は：
患者の歯型模型を作成するステップと、
前記歯列矯正用フレームワークを形成するステップと、を含み、
前記歯列矯正用フレームワークは、１つ又は複数の歯を動かすためのアタッチメントを介して、器具と組み合わせることにより、患者の１つ又は複数の歯の近くの歯列弓内に配置され、
前記フレームワークは、前記器具のバックボーン又はアンカーとして機能するために、前記器具より高い機械的強度を有するポリマー材料で形成され、
前記器具は、ポリマー材料で形成され、治療医師による処方に従い、１つ又は複数の歯を当初位置から中間位置又は最終位置に移動させる効果を果たし、
前記アタッチメントは、前記器具を形成するポリマー材料を介し、前記フレームワークが前記器具に非相反矯正力を及ぼし、前記器具が歯又は歯群に非相反矯正力を及ぼすことを可能にする、歯列矯正用フレームワークの製造方法。
【請求項１９】
前記フレームワークは、患者の歯及び歯肉から様々な距離にある舌側又は唇側の位置に配置される請求項１８に記載の方法。
【請求項２０】
前記器具は力を介して歯の移動をガイドし、前記フレームワークは、治療医師より処方された望ましい結果に達するように、治療計画に基づいた歯列矯正治療を促進する請求項１８に記載の方法。
【請求項２１】
前記アタッチメントは、機械的連結、接着又は化学結合によって達成される請求項１８に記載の方法。
【請求項２２】
前記アタッチメントは、永久的アタッチメント、半永久的アタッチメント、又は取り外し可能なアタッチメントであり、治療医師より処方された歯の位置調整をもとに、１つ又は複数の歯を動かすのに適応する請求項１８に記載の方法。
【請求項２３】
前記器具は弾性ポリマーで形成される請求項２０に記載の方法。
【請求項２４】
歯列矯正治療方法であって、前記方法は：
患者の歯型模型を作成するステップと、
前記歯列矯正用フレームワークを形成するステップと、
患者の１つ又は複数の歯の近くの歯列弓内に前記歯列矯正用フレームワークを配置するステップと、を含み、
前記フレームワークは、１つ又は複数の歯を動かすためのアタッチメントを介して器具と組み合わせられ、
前記フレームワークは、前記器具のバックボーン又はアンカーとして機能するために、前記器具より高い機械的強度を有するポリマー材料で形成され、
前記器具は、ポリマー材料で形成され、治療医師による処方に従い、１つ又は複数の歯を当初位置から中間位置又は最終位置に移動させる効果を果たし、
前記アタッチメントは、前記器具を形成するポリマー材料を介し、前記フレームワークが前記器具に非相反矯正力を及ぼし、前記器具が１つ又は複数の歯に非相反矯正力を及ぼすことを可能にする、歯列矯正治療方法。
【請求項２５】
前記フレームワークは、者の歯及び歯肉から様々な距離にある舌側又は唇側の位置に配置される請求項２４に記載の方法。
【請求項２６】
前記器具は治療医師より処方された所望の結果に達するように、治療計画に基づいた歯列矯正治療を促進するためのバックボーンとして機能する請求項２４に記載の方法。
【請求項２７】
前記アタッチメントは、機械的連結、接着又は化学結合によって形成される請求項２４に記載の方法。
【請求項２８】
前記アタッチメントは、永久的アタッチメント、半永久的アタッチメント、又は取り外し可能なアタッチメントであり、治療医師により処方された歯の位置調整をもとに、１つ又は複数の歯を動かすのに適応する請求項２４に記載の方法。
【請求項２９】
前記歯列矯正用フレームワークは、前記器具を形成するポリマー材料より高い機械的強度の材料から形成される請求項２４に記載の方法。
【請求項３０】
前記器具は、弾性ポリマーで形成される請求項２４に記載の方法。
【発明の詳細な説明】
【技術分野】
【０００１】
本発明は、広く歯列矯正の分野に関し、特に、歯列矯正トレー型器具及びその口内での配置、製造、使用方法に関する。
【背景技術】
【０００２】
従来の歯列矯正法は、ブラケットや金属ワイヤーで作られたブレース及び類似器具を用いて、個々の歯にブラケットを装着し、ブラケットにワイヤーを取り付け、さらに患者の必要に応じてワイヤーの締め具合を矯正歯科医により調整するという方法であり、何十年にもわたって洗練されてきており、ブラケットをどの方向にどれだけの力でどこまで引っ張るかを正確に制御でき、さらに必要に応じてカスタマイズ治療可能な方法でもある。
【０００３】
しかし、口内への侵襲度合や審美性などの理由を考慮し、この分野においてより多くのオプションが検討されており、アライナー（トレー）もその１つである。アライナー（トレー）治療法は患者の歯形を型取り、薄いポリマー材料で成形されたアライナーを配置し、加えられた力によって、これらの歯を順次操作することによって調整された意図された結果に歯を導く。よく知られている例として、米国特許第５，９７５，８９３号（Ｃｈｉｓｈｔｉら）及び他の関連特許に基づくポリマーベースのアライナーであるＩｎｖｉｓａｌｉｇｎ（登録商標）が挙げられる。このようなアライナーは、従来のブレースより口内への侵襲度合が少なく、患者の食事、歯磨き、及びデンタルフロスによる歯間の清掃などの日常的行為がより快適に行われるメリットを持つ。
【０００４】
前記方法は、それ自体で特定の歯を移動させるために必要な差動力を効果的に調整できない欠点がある。一般的には、従来の歯列矯正法には矯正力の方向や強さを直接制御するために、力をかける固定点とする指定のアンカーが必要である。ただし、前記したアライナー（トレー）では、発生する力が相反固定具に完全に依存しており、隣接する歯のグループが互いに引っ張られたり、押されたり、トルクをかけられたり、回転されたりする等の隣接する歯（アンカー歯）による不要な移動が避けられないため、治療中には注意すべきである。また、矯正力の効果は、アンカー歯の品質によるものであり、特定の歯の移動には不十分な可能性がある。
【０００５】
抜歯したスペース閉鎖の歯体移動、トルク制御、前歯侵襲、後歯の回転及び歯根の移動は、従来の透明クリアアライナー（たとえば、米国特許第５，９７５，８９３号に記載されているもの）にとって難しいことだと知られている。Ｉｎｖｉｓａｌｉｇｎ（登録商標）のようなアライナーは、ポリマーシートを歯の模型上で真空成形し、アライナー上のポリマーの厚さがほぼ均一になっており、個々の歯も歯間の相反矯正力により全体的な目標位置に導かれて移動する一方、複数のコンポーネントによる相反矯正力の影響で力加減や方向の差が生じるなど、意図しない副作用を引き起こす可能性がある。
【０００６】
したがって、前記透明クリアアライナーの課題を解決するアライナーが求められる。
【０００７】
したがって、以下の実施形態は、前記問題点やニーズを解決することを目的とする。
【発明の概要】
【０００８】
本発明の一態様により、１つ又は複数の歯を動かすためのアタッチメントを介して、器具と組み合わせることにより、患者の１つ又は複数の歯の近くの歯列弓内に配置される歯列矯正用フレームワークが提供され、
前記歯列矯正用フレームワークは、アンカーとして機能するために器具より柔軟性の低い材料で形成され、
前記器具は、治療医師による処方に従い、１つ又は複数の歯を当初位置から中間位置又は最終位置に移動させる効果を果たし、
前記アタッチメントは、前記器具を形成する材料を介し、前記フレームワークが前記器具に非相反矯正力を及ぼし、さらに前記器具が前記フレームワークをバックボーン（支柱）又はアンカーにし、歯に非相反矯正力を及ぼすことを可能にする。
【０００９】
いくつかの実施形態において、前記フレームワークが「機能している（アクティブ）」とは、特定の歯に移動を生じさせる力を作用させていることを意味する。
【００１０】
本発明のフレームワークのいくつかの実施形態（本明細書に開示される様々な実施形態のいずれかと組み合わせ可能）において、前記フレームワークは、患者の歯及び歯肉から様々な距離にある舌側又は唇側の位置に配置されることが可能である。
【００１１】
本発明のフレームワークのいくつかの実施形態（本明細書に開示される様々な実施形態のいずれかと組み合わせ可能）において、前記器具はポリマーベースの器具、又は力による歯の移動を用いた別のタイプの器具であってよく、前記フレームワークは、治療医師より処方された望ましい結果に達するように、治療計画に基づいた歯列矯正治療を促進するためのバックボーンとして機能してよい。
【００１２】
本発明のフレームワークのいくつかの実施形態（本明細書に開示される様々な実施形態のいずれかと組み合わせ可能）において、前記アタッチメントは、機械的連結、接着又は化学結合によるものであってよい。
【００１３】
本発明のフレームワークのいくつかの実施形態（本明細書に開示される様々な実施形態のいずれかと組み合わせ可能）において、前記アタッチメントは、治療医師より処方された歯の位置調整をもとに、１つ又は複数の歯を移動させるための永久的アタッチメント、半永久的アタッチメント、又は取り外し可能なアタッチメントであってよい。
【００１４】
本発明のフレームワークのいくつかの実施形態（本明細書に開示される様々な実施形態のいずれかと組み合わせ可能）において、前記フレームワークは、より柔軟なポリマーを用いる器具のベースとして機能するために、器具に用いられるポリマー材料よりも柔軟性が低く、十分な機械的強度の材料から形成される。
【００１５】
本発明のフレームワークのいくつかの実施形態（本明細書に開示される様々な実施形態のいずれかと組み合わせ可能）において、前記器具は弾性器具であってよい。
【００１６】
本発明の他の態様により、歯列矯正用フレームワークとポリマー材料を用いた器具の含まれた歯列矯正用トレー装置が提供され、
前記歯列矯正用フレームワークは、１つ又は複数の歯を動かすためのアタッチメントを介して、器具と組み合わせることにより、患者の１つ又は複数の歯の近くの歯列弓内に配置され、
また、前記歯列矯正用フレームワークは、アンカーとして機能するために器具より柔軟性の低い材料で形成され、
前記器具は、治療医師による処方に従い、１つ又は複数の歯を当初位置から中間位置又は最終位置に移動させる効果を果たし、
前記アタッチメントは、前記器具を形成する材料を介し、前記フレームワークが前記器具に非相反矯正力を及ぼし、さらに前記器具が前記フレームワークをバックボーン又はアンカーにし、歯に非相反矯正力を及ぼすことを可能にする。
【００１７】
本発明のトレー装置のいくつかの実施形態（本明細書に開示される様々な実施形態のいずれかと組み合わせ可能）において、前記フレームワークは患者の歯及び歯肉から様々な距離にある舌側又は唇側の位置に配置されることが可能である。
【００１８】
本発明のトレー装置のいくつかの実施形態（本明細書に開示される様々な実施形態のいずれかと組み合わせ可能）において、前記器具はポリマーベースの器具、又は力による歯の移動を用いた別のタイプの器具であってよく、前記フレームワークは、治療医師より処方された望ましい結果に達するように、治療計画に基づいた歯列矯正治療を促進するためのバックボーンとして機能してよい。
【００１９】
本発明のトレー装置のいくつかの実施形態（本明細書に開示される様々な実施形態のいずれかと組み合わせ可能）において、前記アタッチメントは、機械的連結、接着又は化学結合によるものであってよい。
【００２０】
本発明のトレー装置のいくつかの実施形態（本明細書に開示される様々な実施形態のいずれかと組み合わせ可能）において、前記アタッチメントは、治療医師より処方された歯の位置調整をもとに、１つ又は複数の歯を移動させるための永久的アタッチメント、半永久的アタッチメント、又は取り外し可能なアタッチメントであってよい。
【００２１】
本発明のトレー装置のいくつかの実施形態（本明細書に開示される様々な実施形態のいずれかと組み合わせ可能）において、前記フレームワークは、より柔軟なポリマーを用いる器具のベースとして機能するために、器具に用いられるポリマー材料よりも柔軟性が低く、十分な機械的強度の材料から形成される。
【００２２】
本発明のトレー装置のいくつかの実施形態（本明細書に開示される様々な実施形態のいずれかと組み合わせ可能）において、前記器具は弾性器具であってよい。
【００２３】
本発明のトレー装置のいくつかの実施形態（本明細書に開示される様々な実施形態のいずれかと組み合わせ可能）において、前記フレームワークは、患者の歯肉に配置される２つの部分を含み、その片方が歯列弓の内側の歯肉に配置され、もう片方が歯列弓の外側の歯肉に配置され、両方とも歯の間か歯の後ろにロックされる。
【００２４】
本発明のトレー装置のいくつかの実施形態（本明細書に開示される様々な実施形態のいずれかと組み合わせ可能）において、前記２つの部分は、端部により互いに連結され、ループ及び／又は１つか複数の中間点を形成し、その１つ若しくは複数の中間点は隣接する歯の間に位置するため、歯の使用を妨げない。
【００２５】
本発明のトレー装置のいくつかの実施形態（本明細書に開示される様々な実施形態のいずれかと組み合わせ可能）において、前記フレームワークは、患者の歯肉に配置される単一部分を含み、その単一部分が歯列弓の内側又は外側に配置されてよく、歯の間か歯の後ろにロックされる。
【００２６】
本発明のさらなる態様により、
患者の歯型模型を作成するステップと、
歯列矯正用フレームワークを形成するステップと、を含む製造方法が提供され、
前記歯列矯正用フレームワークは、１つ又は複数の歯を動かすためのアタッチメントを介して、器具と組み合わせることにより、患者の１つ又は複数の歯の近くの歯列弓内に配置され、
また、前記歯列矯正用フレームワークは、アンカーとして機能するために器具より柔軟性の低い材料で形成され、前記器具は、治療医師による処方に従い、１つ又は複数の歯を当初位置から中間位置又は最終位置に移動させる効果を果たし、
前記アタッチメントは、前記器具を形成する材料を介し、前記フレームワークが前記器具に非相反矯正力を及ぼし、さらに前記器具が前記フレームワークをバックボーン又はアンカーにし、歯に非相反矯正力を及ぼすことを可能にする。
【００２７】
本発明の方法のいくつかの実施形態（本明細書に開示される様々な実施形態のいずれかと組み合わせ可能）において、前記フレームワークは患者の歯及び歯肉から様々な距離にある舌側又は唇側の位置に配置されることが可能である。
【００２８】
本発明の方法のいくつかの実施形態（本明細書に開示される様々な実施形態のいずれかと組み合わせ可能）において、前記方法は、１つ又は複数の歯を移動させるための器具を提供することも含む。
【００２９】
本発明の方法のいくつかの実施形態（本明細書に開示される様々な実施形態のいずれかと組み合わせ可能）において、前記器具はポリマーベースの器具、又は力による歯の移動を用いた別のタイプの器具であってよく、前記フレームワークは、治療医師より処方された望ましい結果に達するように、治療計画に基づいた歯列矯正治療を促進するためのバックボーンとして機能してよい。
【００３０】
本発明の方法のいくつかの実施形態（本明細書に開示される様々な実施形態のいずれかと組み合わせ可能）において、前記アタッチメントは、機械的連結、接着又は化学結合によるものであってよい。
【００３１】
本発明の方法のいくつかの実施形態（本明細書に開示される様々な実施形態のいずれかと組み合わせ可能）において、前記アタッチメントは、治療医師より処方された歯の位置調整をもとに、１つ又は複数の歯を移動させるための永久的アタッチメント、半永久的アタッチメント、又は取り外し可能なアタッチメントであってよい。
【００３２】
本発明の方法のいくつかの実施形態（本明細書に開示される様々な実施形態のいずれかと組み合わせ可能）において、前記フレームワークは、より柔軟なポリマーを用いる器具のベースとして機能するために、器具に用いられるポリマー材料よりも柔軟性が低く、十分な機械的強度の材料から形成される。
【００３３】
本発明の方法のいくつかの実施形態（本明細書に開示される様々な実施形態のいずれかと組み合わせ可能）において、前記器具は弾性器具であってよい。
【００３４】
本発明のさらなる態様により、
患者の歯型模型を作成するステップと、
歯列矯正用フレームワークを形成するステップと、
患者の１つ又は複数の歯の近くの歯列弓内に前記歯列矯正用フレームワークを配置するステップと、を含む歯列矯正治療方法が提供され、
前記フレームワークは、１つ又は複数の歯を動かすためのアタッチメントを介して器具と組み合わせられ、
また、前記フレームワークは、アンカーとして機能するために器具より柔軟性の低い材料で形成され、
前記器具は、治療医師による処方に従い、１つ又は複数の歯を当初位置から中間位置又は最終位置に移動させる効果を果たし、
前記アタッチメントは、前記器具を形成する材料を介し、前記フレームワークが前記器具に非相反矯正力を及ぼし、さらに前記器具が前記フレームワークをバックボーン又はアンカーにし、歯に非相反矯正力を及ぼすことを可能にする。
【００３５】
本発明の方法のいくつかの実施形態（本明細書に開示される様々な実施形態のいずれかと組み合わせ可能）において、前記フレームワークは患者の歯及び歯肉から様々な距離にある舌側又は唇側の位置に配置されることが可能である。
【００３６】
本発明の方法のいくつかの実施形態（本明細書に開示される様々な実施形態のいずれかと組み合わせ可能）において、前記器具はポリマーベースの器具、又は力による歯の移動を用いた別のタイプの器具であってよく、前記フレームワークは、治療医師より処方された望ましい結果に達するように、治療計画に基づいた歯列矯正治療を促進するためのバックボーンとして機能してよい。
【００３７】
本発明の方法のいくつかの実施形態（本明細書に開示される様々な実施形態のいずれかと組み合わせ可能）において、前記アタッチメントは、機械的連結、接着又は化学結合によるものであってよい。
【００３８】
本発明の方法のいくつかの実施形態（本明細書に開示される様々な実施形態のいずれかと組み合わせ可能）において、前記アタッチメントは、治療医師より処方された歯の位置調整をもとに、１つ又は複数の歯を移動させるための永久的アタッチメント、半永久的アタッチメント、又は取り外し可能なアタッチメントであってよい。
【００３９】
本発明の方法のいくつかの実施形態（本明細書に開示される様々な実施形態のいずれかと組み合わせ可能）において、前記フレームワークは、より柔軟なポリマーを用いる器具のベースとして機能するために、器具に用いられるポリマー材料よりも柔軟性が低く、十分な機械的強度の材料から形成される。
【００４０】
本発明の方法のいくつかの実施形態（本明細書に開示される様々な実施形態のいずれかと組み合わせ可能）において、前記器具は弾性器具であってよい。
【図面の簡単な説明】
【００４１】
【図１】図１は、歯間及び歯肉上にロックされた本発明フレームワークの実施形態を示す図であり、左（歯列弓の外側）は、歯列弓の外側の歯肉の側面にロックされた本発明のフレームワークの一部であり、右（歯列弓の内側）は、歯列弓の内側の歯肉の側面にロックされた本発明のフレームワークの別の部分であり、これら２つの部分は、各部分の端部により互いに連結されている。
【図２】図２は、歯肉に配置され、歯の間でロックされる前の本発明フレームワークの実施形態を示す図であり、左（歯列弓の外側）は、歯列弓の外側の歯肉の側面にロックされた本発明のフレームワークの一部であり、右（歯列弓の内側）は、歯列弓の内側の歯肉の側面にロックされた本発明のフレームワークの別の部分であり、これら２つの部分は、各部分の端部により互いに連結されている。
【図３】図３は、歯列弓の内側の歯肉に配置される本発明のフレームワークの実施形態を示す図であり、この部分は、歯の間又は歯の後ろにロックされる。
【図４】図４は、歯列弓の内側の歯肉に配置され、歯の間にロックされている本発明のフレームワークの実施形態を示す図であるを示す図である。
【図５】図５は、歯列弓の外側の歯肉に配置される本発明のフレームワークの実施形態を示す図であり、この部分は、歯の間又は歯の後ろにロックされる。
【図６】図６は、歯列弓の外側の歯肉に配置され、歯の間にロックされている本発明のフレームワークの実施形態を示す図であるを示す図である。
【図７】図７は、歯列弓を拡張又は収縮させるために使用される本発明のフレームワークの実施形態を示す図である。
【図８】図８（Ａ）〜図８（Ｂ）は、本発明のフレームワークの実施形態を示す。
【発明を実施するための形態】
【００４２】
定義
本明細書で使用される場合、「トレー型アライナー」は、歯を覆い、「矯正歯科医師」又は「矯正歯科医」とも呼ばれる治療医師より処方された期間内で、１つ又は複数の歯を当初位置から最終位置に移動させるようにガイドする透明トレーとして定義される。
【００４３】
本明細書で使用される場合、「固定具（ａｎｃｈｏｒａｇｅ）」という用語は、加えられた力の反応に打ち勝つために使用される抵抗に帰する。ニュートンの運動の第３法則によれば、すべてのアクションに等しい反対の反応がある。
【００４４】
本明細書で使用される場合、「相反矯正力」という用語は、１つ又は複数の歯及び付属器の抵抗力を用いて１つ又は複数の対向する歯及び付属器を移動させる歯列矯正固定具による力を指す。本書では、従来のＩｎｖｉｓａｌｉｇｎ（登録商標）アライナーで用いられた固定具等、前記のような固定具は「相反固定具」と呼ばれる。
【００４５】
本明細書で使用される場合、「非相反力」という用語は、Ｉｎｖｉｓａｌｉｇｎ（登録商標）のような従来のプラスチックアライナーにより引き起こされる歯の移動の相反性を回避するために、１つまたは複数の歯から独立している固定点の矯正固定具によって加えられる力を指す。このような「非相反力」は、「独立した非相反力」とも呼ばれる。
【００４６】
本明細書で使用される場合、１つ又は複数の歯の「当初位置」という用語は、本発明の器具を利用して治療前の治療対象とする１つ又は複数の歯の位置を指す。「最終位置」という用語は、治療医師より処方された歯列矯正治療コースの終了時点でのそのような１つ又は複数の歯の位置を指し、そして、「中間位置」という用語は、治療医師より処方された治療の対象の１つ又は複数の歯の当初位置と最終位置との間の任意の位置を指す。
【００４７】
本明細書で使用される場合、互換的に使用される「器具」又は「アライナー」という用語は、治療医師による処方に従って１つ又は複数の歯を移動させるための歯列矯正装置を指す。透明歯列矯正器具とは、一般にポリエステル材料であるプラスチック材料から作られたものを指す。このような透明器具の例として、Ｉｎｖｉｓａｌｉｇｎ（登録商標）アライナーが挙げられる。Ｉｎｖｉｓａｌｉｇｎ（登録商標）アライナー、その作製方法及び使用方法は、一般に、米国特許第６，４５０，８０７号及び第５，９７５，８９３号に記載されており、それらの教示の全体は、参照により本明細書に組み込まれている。
【００４８】
本明細書で使用される場合、「弾性器具」という用語は、Ｉｎｖｉｓａｌｉｇｎ（登録商標）アライナーなどの従来のポリマーベースで形成される透明アライナーよりも相当広い程度にまで伸ばすことのできる歯列矯正器具を指す。そのような弾性器具の例は、２０１８年１月３１日に出願された、発明の名称が「弾性歯列矯正器具」である同時係属中の特許出願の米国仮特許出願第６２／６２４，２８１号に記載されており、その教示の全体は、参照により本明細書に組み込まれている。
【００４９】
本明細書で使用される場合、「歯型模型」という用語は、従来の又はデジタルの歯型模型を指す。
【００５０】
本明細書で使用される場合、「フレームワーク」という用語は、用語「バックボーン」と互換的に使用される。
【００５１】
歯列矯正用フレームワーク
この問題を解決するために、剛性フレームワークをバックボーン（非相反固定具）としてアライナーに組み込むことにより、前記した相反固定具に関する問題点を解決していく。このようなフレームワークを、アライナーが取り付け可能な意図的な位置に配置することで、アライナーは、フレームワークをバックボーンとして使用するだけで、隣接する歯に悪い影響を与えることなく、所望の方向で、所望の時に、所望の力加減で、必要な力を歯に加えることができる。
【００５２】
したがって、本発明の一実施形態により、１つ又は複数の歯を動かすためのアタッチメントを介して、器具と組み合わせることにより、患者の１つ又は複数の歯の近くの歯列弓内に配置される歯列矯正用フレームワークが提供され、
前記アタッチメントは、前記器具を形成する材料を介し、前記フレームワークが前記器具に非相反矯正力を及ぼし、さらに前記器具が前記フレームワークをバックボーン又はアンカーにし、歯に非相反矯正力を及ぼすことを可能にし、
前記フレームワークは、アンカーとして機能するために器具より柔軟性の低い材料で形成され、
前記器具は、治療医師による処方に従い、１つ又は複数の歯を当初位置から中間位置又は最終位置に移動させる効果を果たす。
【００５３】
本発明のフレームワークのいくつかの実施形態（本明細書に開示される様々な実施形態のいずれかと組み合わせ可能）において、前記フレームワークは、患者の歯及び歯肉から様々な距離にある舌側又は唇側の位置に配置されることが可能である。
【００５４】
本発明のフレームワークのいくつかの実施形態（本明細書に開示される様々な実施形態のいずれかと組み合わせ可能）において、前記器具はポリマーベースの器具、又は力による歯の移動を用いた別のタイプの器具であってよく、前記フレームワークは、治療医師より処方された望ましい結果に達するように、治療計画に基づいた歯列矯正治療を促進するためのバックボーンとして機能してよい。
【００５５】
本発明のフレームワークのいくつかの実施形態（本明細書に開示される様々な実施形態のいずれかと組み合わせ可能）において、前記アタッチメントは、機械的連結、接着又は化学結合によるものであってよい。
【００５６】
本発明のフレームワークのいくつかの実施形態（本明細書に開示される様々な実施形態のいずれかと組み合わせ可能）において、前記アタッチメントは、治療医師より処方された望ましい理想位置へ歯を移動させるための永久的アタッチメント、半永久的アタッチメント、又は取り外し可能なアタッチメントであってよい。
【００５７】
本発明のフレームワークのいくつかの実施形態（本明細書に開示される様々な実施形態のいずれかと組み合わせ可能）において、前記フレームワークは、より柔軟なポリマーを用いる器具のベースとして機能するために、器具に用いられるポリマー材料よりも柔軟性が低く、十分な機械的強度の材料から形成される。いくつかの実施形態において、前記フレームワーク自体は、歯を移動させるために機能し得る設計を用いたものである。
【００５８】
本発明のフレームワークのいくつかの実施形態（本明細書に開示される様々な実施形態のいずれかと組み合わせ可能）において、前記器具は弾性器具であってよい。
【００５９】
本発明のトレー装置のいくつかの実施形態（本明細書に開示される様々な実施形態のいずれかと組み合わせ可能）において、前記フレームワークは、患者の歯肉に配置される２つの部分を含み、その片方が歯列弓の内側の歯肉に配置され、もう片方が歯列弓の外側の歯肉に配置され、両方とも歯の間又は歯の後ろにロックし得る（図１−図２）。
【００６０】
本発明のトレー装置のいくつかの実施形態（本明細書に開示される様々な実施形態のいずれかと組み合わせ可能）において、前記当該２つの部分は、端部で互いに連結され、ループ及び／又は１つか複数の中間点を形成し、その１つ若しくは複数の中間点は隣接する歯の間に位置するため、歯の使用を妨げない（図１−図２）。
【００６１】
本発明のトレー装置のいくつかの実施形態（本明細書に開示される様々な実施形態のいずれかと組み合わせ可能）において、前記フレームワークは、患者の歯肉に配置される単一部分を含み、その単一部分が歯列弓の内側又は外側に配置されてよく、歯の間か歯の後ろにロックし得る（図３−図６）。
【００６２】
本発明のフレームワークは、従来の装置で使われてきた相反固定具とは異なり、独立した固定具として機能し、前記アライナーによる特定の歯への複雑な力ベクトルを適用できるようにする。従来のアプローチでは達成しにくい点ではあるが、フレームワークをバックボーンとして使用することで、個別の歯にこのような複雑な力が加えられる。また、独立した固定具として機能する本発明のフレームワークは、歯の間に望ましくない相反矯正力を最小限に抑え、より効果的、効率的且つ正確な歯の移動を可能にする。ということで、本発明のフレームワークは、独立した固定具のない従来なる歯列矯正装置より有利である。
【００６３】
なお、本明細書に述べられたフレームワークの位置は単なる例示に過ぎず、本発明のフレームワーク自体は、何らかの方式でアライナーに取り付けられる限り、任意の位置に配置してよい。
【００６４】
このようなメカニズムは、矯正歯科医が必要に応じて容易に調整でき、より柔軟な治療を行うことができるが、化学結合より安定性が低い可能性もある。したがって、歯列矯正医は、患者にとってより効果的な方法又は患者のニーズに応じた経済的な方法を選べる。
【００６５】
図１は、歯の間及び歯肉にロックされた本発明のフレームワークの実施形態を示す図であり、左（歯列弓の外側）は歯列弓の外側の歯肉の側面にロックされた本発明のフレームワークの片方の部分であり、右（歯列弓の内側）は歯列弓の内側の歯肉の側面にロックされた発明フレームワークのもう片方の部分であり、これら２つの部分は各部分の端部により互いに連結されている。
【００６６】
図２は、歯肉に配置され、歯の間にロックされる前の本発明のフレームワークの実施形態を示す図であり、左（歯列弓の外側）は歯列弓の外側の歯肉の側面にロックされた本発明のフレームワークの片方の部分であり、右（歯列弓の内側）は歯列弓の内側の歯肉の側面にロックされた本発明のフレームワークのもう片方の部分であり、これら２つの部分は各部分の端部により互いに連結されている。
【００６７】
図３は、歯列弓の内側の歯肉に配置される本発明のフレームワークの実施形態を示す図であり、この部分は、歯の間又は歯の後ろにロックし得る。
【００６８】
図４は、歯列弓の内側の歯肉に配置され、歯の間にロックされている本発明のフレームワークの実施形態を示す図である。
【００６９】
図５は、歯列弓の外側の歯肉に配置される本発明のフレームワークの実施形態を示す図であり、この部分は、歯の間又は歯の後ろにロックし得る。
【００７０】
図６は、歯列弓の外側の歯肉に配置され、歯の間にロックされている本発明のフレームワークの実施形態を示す図である。
【００７１】
図７は、本発明のフレームワークが歯列弓を拡張又は収縮させるために使用される本発明のフレームワークの実施形態を示す図である。前記フレームワークは、歯列弓の幅より小さな又は大きな作動幅を持つように作製できる。本明細書に記載される様々な実施形態によれば、本発明のフレームワークのより大きな作動幅を患者又はユーザーの歯列弓を拡張させるのに適用できる。逆に、本明細書に記載される様々な実施形態によれば、本発明のフレームワークのより小さな作動幅は、患者又はユーザーの歯列弓を収縮させるのに適用できる。
【００７２】
ただし、新しいバックボーンは、前記器具の機能を妨げないことが重要であり、そして、患者の快適さも考慮に入れる必要がある。したがって、前記バックボーンは、噛み込んだときに歯の経路の邪魔にならないこと、歯に加えられる力の干渉を生じないことが必要である。
【００７３】
歯列矯正器具
前記フレームワークを使用することにより、アライナー（トレー）や他の歯列矯正方法を作成し、必要に応じて微調整して、効果的かつ適切な結果を作ったり、患者の経済的ニーズに合わせて治療の必要性をより詳しくカスタマイズしたりすることができる。さらに、これは、トレー型の器具を中心に展開するさらなる研究の発展につながり、その結果、歯列矯正のためのより多くの代替方法、患者のためのより多くのオプション、及び正確な結果を提供するより多くの方法の探索が可能になる。
【００７４】
前記器具自体は、最終的な所望の結果に達するように、バックボーンとして機能し、Ｉｎｖｉｓａｌｉｇｎ（登録商標）器具などのポリマーベースの器具、たとえば米国特許第６，４５０，８０７号及び第５，９７５，８９３号に一般的に記載されたもの、又は力を介して歯の移動をガイドするための他の器具と一緒に使用してよい。アンカー点として機能するため、デフォルトで前記器具の他の部分より柔軟性が低い限り、それ自体は任意の材料で作製してよい。
【００７５】
アタッチメント
本明細書で使用される場合、「アタッチメント」という用語は、本発明のフレームワークによる十分な力を受け入れ、当該フレームワークを固定具として用いることによって、１つ又は複数の歯を移動させるための歯列矯正器具に接合する本発明のフレームワークのアタッチメントを指す。前記歯列矯正器具の固定具として取り扱われる本発明のフレームワーク及びアタッチメントのいずれも前記歯列矯正器具より柔軟性が低くなければならない。
【００７６】
本明細書で使用される場合、「永久的アタッチメント」という用語は、本発明のフレームワークを歯列矯正器具に取り付け、本発明のフレームワークと前記器具との間に結合を形成することを指す。この結合は、本発明のフレームワーク及び／又は前記器具に構造的損傷を引き起こす力を使用せずに無傷のままで結合させなければならない。永久的アタッチメントは、力（例えば、はさみ・ナイフ・レーザー等で切断する）、溶剤、熱溶融、燃焼等の方式で壊されることが可能である。
【００７７】
本明細書で使用される場合、「半永久的アタッチメント」という用語は、本発明のフレームワークを歯列矯正器具に取り付け、本発明のフレームワークと前記器具との間に結合を形成することを指す。この結合は、以下のようなものである。
１）前記器具に及ぼす本発明のフレームワークの力の正味値のレベルの力、前記アタッチメントに及ぼす前記器具からの整列力、並びに食べ物の有無にかかわらず噛むなどの歯の通常の使用から生成される力を使っても、無傷のままでなければならない。
２）１）で述べられた力より大きな力を使うと破損するが、本発明のフレームワーク及び／又は前記器具に構造的損傷を与えることはない。
【００７８】
本明細書で使用される場合、「取り外し可能なアタッチメント」という用語は、本発明のフレームワークと前記器具との間に結合を形成することなく、物理的手段によって本発明のフレームワークを歯列矯正器具に取り付けることを指す。そのような取り外し可能なアタッチメントは、前記器具に及ぼす本発明のフレームワークの力の正味の値のレベルの力、前記アタッチメントに及ぼす前記器具からの整列力、並びに食物の有無にかかわらず噛むなどの歯の通常の使用から生成される力を使っても、無傷のままでなければならない。
【００７９】
前記アタッチメントは、機械的連結、接着又は化学結合の連結方法に限られず、永久的、半永久的、又は取り外し可能なものであってよく、矯正歯科医による生産ニーズ又は治療中の大幅な調整を行う必要性に応じた最適な方法で取り付けられてよく、より柔軟なポリマーが働くためのベースとして機能するのに十分な頑丈さを持つ限り、任意の材料で作製されてよい。
【００８０】
歯列矯正トレー装置
本発明の他の態様により、歯列矯正用フレームワークとポリマー材料を用いた器具の含まれた歯列矯正用トレー装置が提供され、
前記歯列矯正用フレームワークは、患者の１つ又は複数の歯の近くの歯列弓内に配置されることにより、１つ又は複数の歯を移動させるための器具に取り付けられ、
前記アタッチメントは、前記器具を形成する材料を介し、前記フレームワークが前記器具に非相反矯正力を及ぼし、さらに前記器具が前記フレームワークをバックボーン又はアンカーにし、歯に非相反矯正力を及ぼすことを可能にし、
前記フレームワークは、アンカーとして機能するために器具より柔軟性の低い材料で形成され、
前記器具は、治療医師による処方に従い、１つ又は複数の歯を当初位置から中間位置又は最終位置に移動させる効果を果たす。
【００８１】
本発明のトレー装置のいくつかの実施形態（本明細書に開示される様々な実施形態のいずれかと組み合わせ可能）において、前記フレームワークは、患者の歯及び歯肉から様々な距離にある舌側又は唇側の位置に配置されることが可能である。
【００８２】
本発明のトレー装置のいくつかの実施形態（本明細書に開示される様々な実施形態のいずれかと組み合わせ可能）において、前記器具はポリマーベースの器具、又は力による歯の移動を用いた別のタイプの器具であってよく、前記フレームワークは、治療医師より処方された望ましい結果に達するように、治療計画に基づいた歯列矯正治療を促進するためのバックボーンとして機能してよい。
【００８３】
本発明のトレー装置のいくつかの実施形態（本明細書に開示される様々な実施形態のいずれかと組み合わせ可能）において、前記アタッチメントは、機械的連結、接着又は化学結合によるものであってよい。
【００８４】
本発明のトレー装置のいくつかの実施形態（本明細書に開示される様々な実施形態のいずれかと組み合わせ可能）において、前記アタッチメントは、治療医師より処方された歯の位置調整をもとに、１つ又は複数の歯を移動させるための永久的アタッチメント、半永久的アタッチメント、又は取り外し可能なアタッチメントであってよい。
【００８５】
本発明トレー装置のいくつかの実施形態（本明細書に開示される様々な実施形態のいずれかと組み合わせ可能）において、前記歯列矯正用フレームワークは、より柔軟なポリマーを用いる器具のベースとして機能するために、器具に用いられるポリマー材料よりも柔軟性が低く、十分な機械的強度の材料から形成される。いくつかの実施形態において、前記フレームワーク自体は、歯を移動させるために機能し得る設計を用いたものである。
【００８６】
本発明のトレー装置のいくつかの実施形態（本明細書に開示される様々な実施形態のいずれかと組み合わせ可能）において、前記器具は弾性器具であってよい。
【００８７】
製造方法
本発明のさらなる態様により、
患者の歯型模型を作成するステップと、
前記歯列矯正用フレームワークを形成するステップと、を含む製造方法が提供され、
前記歯列矯正用フレームワークは、１つ又は複数の歯を移動する器具に取り付けるために、患者の１つ又は複数の歯の近くの歯列弓内に配置され、
前記アタッチメントは、前記器具を形成する材料を介し、前記フレームワークが前記器具に非相反矯正力を及ぼし、さらに前記器具が前記フレームワークをバックボーン又はアンカーにし、歯に非相反矯正力を及ぼすことを可能にし、
前記フレームワークは、アンカーとして機能するために器具より柔軟性の低い材料で形成され、
前記器具は、治療医師による処方に従い、１つ又は複数の歯を当初位置から中間位置又は最終位置に移動させる効果を果たす。
【００８８】
本発明の方法のいくつかの実施形態（本明細書に開示される様々な実施形態のいずれかと組み合わせ可能）において、前記フレームワークは、患者の歯及び歯肉から様々な距離にある舌側又は唇側の位置に配置されることが可能である。
【００８９】
本発明の方法のいくつかの実施形態（本明細書に開示される様々な実施形態のいずれかと組み合わせ可能）において、前記方法は、１つ又は複数の歯を動かすための器具を提供する更なるステップを含む。
【００９０】
本発明の方法のいくつかの実施形態（本明細書に開示される様々な実施形態のいずれかと組み合わせ可能）において、前記器具は、ポリマーベースの器具、又は力による歯の移動を用いた別のタイプの器具であってよく、前記フレームワークは、治療医師より処方された望ましい結果に達するように、治療計画に基づいた歯列矯正治療を促進するためのバックボーンとして機能してよい。
【００９１】
本発明の方法のいくつかの実施形態（本明細書に開示される様々な実施形態のいずれかと組み合わせ可能）において、前記アタッチメントは、機械的連結、接着又は化学結合によるものであってよい。
【００９２】
本発明の方法のいくつかの実施形態（本明細書に開示される様々な実施形態のいずれかと組み合わせ可能）において、前記アタッチメントは、治療医師より処方された歯の位置調整をもとに、１つ又は複数の歯を移動させるための永久的アタッチメント、半永久的アタッチメント、又は取り外し可能なアタッチメントであってよい。
【００９３】
本発明の方法のいくつかの実施形態（本明細書に開示される様々な実施形態のいずれかと組み合わせ可能）において、前記歯列矯正用フレームワークは、より柔軟なポリマーを用いる器具のベースとして機能するために、器具に用いられるポリマー材料よりも柔軟性が低く、十分な機械的強度の材料から形成される。いくつかの実施形態において、前記フレームワーク自体は、歯を移動させるために機能し得る設計を用いたものである。
【００９４】
本発明の方法のいくつかの実施形態（本明細書に開示される様々な実施形態のいずれかと組み合わせ可能）において、前記器具は弾性器具であってよい。
【００９５】
歯列矯正装置のコンピュータ支援製造方法は、当該技術分野で十分に記録されている。そのような方法の例は、米国特許第６，４５０，８０７号及び第５，９７５，８９３号に記載されており、それらの教示の全体は参照により本明細書に組み込まれている。
【００９６】
使用方法
本発明のさらなる態様により、
患者の歯型模型を作成するステップと、
前記歯列矯正用フレームワークを形成するステップと、
１つ又は複数の歯を移動する器具に取り付けるために、患者の１つ又は複数の歯の近くの歯列弓内に前記歯列矯正用フレームワークを配置するステップと、を含む歯列矯正治療方法が提供され、
前記アタッチメントは、前記器具を形成する材料を介し、前記フレームワークが前記器具に非相反矯正力を及ぼし、さらに前記器具が前記フレームワークをバックボーン又はアンカーにし、歯に非相反矯正力を及ぼすことを可能にし、
前記フレームワークは、アンカーとして機能するために器具より柔軟性の低い材料で形成され、
前記器具は、治療医師による処方に従い、１つ又は複数の歯を当初位置から中間位置又は最終位置に移動させる効果を果たす。
【００９７】
本発明の方法のいくつかの実施形態（本明細書に開示される様々な実施形態のいずれかと組み合わせ可能）において、前記フレームワークは、患者の歯及び歯肉から様々な距離にある舌側又は唇側の位置に配置されることが可能である。
【００９８】
本発明の方法のいくつかの実施形態（本明細書に開示される様々な実施形態のいずれかと組み合わせ可能）において、前記器具は、ポリマーベースの器具、又は力による歯の移動を用いた別のタイプの器具であってよく、前記フレームワークは、治療医師より処方された望ましい結果に達するように、治療計画に基づいた歯列矯正治療を促進するためのバックボーンとして機能してよい。
【００９９】
本発明の方法のいくつかの実施形態（本明細書に開示される様々な実施形態のいずれかと組み合わせ可能）において、前記アタッチメントは、機械的連結、接着又は化学結合によるものであってよい。
【０１００】
本発明の方法のいくつかの実施形態（本明細書に開示される様々な実施形態のいずれかと組み合わせ可能）において、前記アタッチメントは、治療医師より処方された歯の位置調整をもとに、１つ又は複数の歯を移動させるための永久的アタッチメント、半永久的アタッチメント、又は取り外し可能なアタッチメントであってよい。
【０１０１】
本発明の方法のいくつかの実施形態（本明細書に開示される様々な実施形態のいずれかと組み合わせ可能）において、前記歯列矯正用フレームワークは、より柔軟なポリマーを用いる器具のベースとして機能するために、器具に用いられるポリマー材料よりも柔軟性が低く、十分な機械的強度の材料から形成される。いくつかの実施形態において、前記フレームワーク自体は、歯を移動させるために機能し得る設計を用いたものである。
【０１０２】
本発明の方法のいくつかの実施形態（本明細書に開示される様々な実施形態のいずれかと組み合わせ可能）において、前記器具は弾性器具であってよい。
【０１０３】
以下は、本発明の実施形態を制限するものではなく、実施例を示すものである。
【０１０４】
図１〜図７は、本明細書に記載される方法に従えば容易に作り出せる本発明の様々な実施形態の器具を示す。
【０１０５】
図８（Ａ）〜図８（Ｂ）は、本発明のフレームワークの実施形態を示す。図８（Ａ）では、フレームワーク１は下部の歯列弓に配置され、アタッチメント３を介して歯列矯正器具２に接続されており、アタッチメント３を示す破線は、フレームワーク上のアタッチメントの接続方法・位置、並びに器具上の対応する位置が開いている状態を示す。図８（Ｂ）は、器具２が歯列弓及びフレームワーク１に配置され、器具が器具２に取り付けられている（アタッチメント３は図示せず）ことを示す。
【０１０６】
本発明は本明細書の様々な実施形態の記載により示され、説明されてきたが、これらの実施形態は単なる例証的なものに過ぎず、本発明の趣旨及び範囲から逸脱することなく、様々な変形、変更、置換をもたらしてよいことが明白であろう。したがって、本発明は、添付の特許請求の範囲の精神及び範囲によってのみ限定されることが意図される。
【０１０７】
本明細書に引用される特許及び特許関連文献を含む参考文献の開示は、本書の開示と矛盾しない範囲で、全て本明細書に組み込まれている。
【図１】
2021512765.tif 000003
【図２】
2021512765.tif 000004
【図３】
2021512765.tif 000005
【図４】
2021512765.tif 000006
【図５】
2021512765.tif 000007
【図６】
2021512765.tif 000008
【図７】
2021512765.tif 000009
【図８】
2021512765.tif 000010
【国際調査報告】
2021512765.tif 000011